(57)【要約】【課題】機能パネル用化粧カバーにおいて、屋根や機能パネルに雨水排水の為の専用部材や専用構造を追加的に設けずに排水通路を構成可能なもの、低コストで簡単な構造でもって排水構造を実現可能なもの、等を提供することである。【解決手段】側方カバー１５は、カバー本体２１と、このカバー本体２１の機能パネル側壁部に形成された開口部２４と、カバー本体２１の内部に形成され且つ開口部２４から流入した雨水を流す為の排水溝部２５とを備え、側方カバー１５を傾斜屋根面Ｓに設置された機能パネル１の側面に取り付けた状態において、カバー本体２１の軒側端部が、機能パネル１の軒側に取り付けた状態の軒カバー１２の端部と連結され、軒カバー１２は、排水溝部２５と連結する軒側排水溝部３１を備え、側方カバー１５の排水溝部２５を流れる雨水が軒カバー１２の軒側排水溝部３１を介して外部に排水可能である。【選択図】図５
2015183446.tif 000002
【特許請求の範囲】
【請求項１】
機能パネル用化粧カバーにおいて、
カバー本体と、このカバー本体の機能パネル側壁部に形成された開口部と、前記カバー本体の内部に形成され且つ前記開口部から流入した雨水を流す為の排水溝部とを備えたことを特徴とする機能パネル用化粧カバー。
【請求項２】
前記機能パネル用化粧カバーを傾斜屋根面に設置された機能パネルの側面に取り付けた状態において、前記カバー本体の軒側端部が、前記機能パネルの軒側に取り付けた状態の軒側化粧カバーの端部と連結され、前記軒側化粧カバーは、前記排水溝部と連結する軒側排水溝部を備え、前記機能パネル用化粧カバーの前記排水溝部を流れる雨水が前記軒側化粧カバーの前記軒側排水溝部を介して外部に排水可能であることを特徴とする請求項１に記載の機能パネル用化粧カバー。
【発明の詳細な説明】
【技術分野】
【０００１】
本発明は機能パネル用化粧カバーに関し、特に雨水を排水する為の構造を備えたものに関する。
【背景技術】
【０００２】
従来から、太陽光発電パネルや太陽熱温水パネル等の種々の機能パネルが、住宅の傾斜した屋根の上に設置されている。機能パネルを太陽光発電パネルとして設置する場合は、太陽光により発電した電力を住宅用の電力として供給することができ、また、機能パネルを太陽熱温水パネルとして設置する場合は、太陽熱により生成された温水を貯湯タンクに貯留した後に給湯することができる。
【０００３】
上記の機能パネルは、固定用架台を介して傾斜屋根面に固定されている。この種の固定用架台は、縦方向に延びる複数の縦ラックと横方向に延びる複数の横ラックとを備え、複数の縦ラックを傾斜屋根面に平行状に設置し、これら縦ラックの上に複数の横ラックを平行状に設置することで格子状に構成し、これら複数の横ラックの上に複数の機能パネルを設置する。機能パネルの周囲には、一般的に、化粧カバーが取り付けられる。
【０００４】
ところで、複数の機能パネルを固定用架台の横ラック上に設置する構造上、横方向に隣接する機能パネル同士は密接状に設置可能ではあるが、横ラック上には機能パネル固定用の固定金具等を配置する必要があるので、傾斜方向と平行な縦方向に隣接する機能パネル間には隙間が生じてしまう。このため、降雨時に雨水が、機能パネルの表面を傾斜方向の下方へ伝って流れ、隣接する機能パネル間の隙間から横ラックに流れ込み、横ラックの横方向の両端部から屋根へ多量の雨水が流れ落ちるので、集中した雨水の流れが軒先の雨樋を乗り越えたり、屋根瓦の隙間から雨水が侵入して屋根材を腐食させたりする等の不具合が発生する虞がある。
【０００５】
上記の問題を解決する為に、例えば、特許文献１の太陽光発電装置においては、傾斜した屋根面に、排水溝部を有する複数の桶部材を縦向きに設置し、太陽電池パネルのフレーム枠の縦枠に下方に延びる導水板部を一体的に形成し、この導水板部が排水溝部の内側に位置するように太陽電池パネルを屋根面に設置した構造が開示されている。降雨時には、太陽電池パネルの表面を流れる雨水は、導水板部を介して排水溝部に案内され、この排水溝部を介して軒側に排水される。
【先行技術文献】
【特許文献】
【０００６】
【特許文献１】特開２００２−１２９７１０号公報
【発明の概要】
【発明が解決しようとする課題】
【０００７】
しかし、特許文献１の太陽光発電装置における排水構造では、雨水を排水する為の排水専用部材（桶部材）を傾斜屋根面上に追加的に設置する必要があるが、固定用架台を屋根面に設置する前に排水専用部材を設置しなければならず、太陽電池パネルの据付け作業に手間がかかり、コスト高となる。また、太陽電池パネルのフレーム枠に導水板部を一体的に形成する構造上、フレーム枠の構造が複雑化するので、コストが増加してしまう。
【０００８】
本発明の目的は、機能パネル用化粧カバーにおいて、屋根や機能パネルに雨水排水の為の専用部材や専用構造を追加的に設けずに排水通路を構成可能なもの、低コストで且つ簡単な構造でもって排水構造を実現可能なもの、等を提供することである。
【課題を解決するための手段】
【０００９】
請求項１の機能パネル用化粧カバーは、カバー本体と、このカバー本体の機能パネル側壁部に形成された開口部と、前記カバー本体の内部に形成され且つ前記開口部から流入した雨水を流す為の排水溝部とを備えたことを特徴としている。
【００１０】
請求項２の機能パネル用化粧カバーは、請求項１の発明において、前記機能パネル用化粧カバーを傾斜屋根面に設置された機能パネルの側面に取り付けた状態において、前記カバー本体の軒側端部が、前記機能パネルの軒側に取り付けた状態の軒側化粧カバーの端部と連結され、前記軒側化粧カバーは、前記排水溝部と連結する軒側排水溝部を備え、前記機能パネル用化粧カバーの前記排水溝部を流れる雨水が前記軒側化粧カバーの前記軒側排水溝部を介して外部に排水可能であることを特徴としている。
【発明の効果】
【００１１】
請求項１の発明によれば、機能パネル用化粧カバーは、カバー本体と、このカバー本体の機能パネル側壁部に形成された開口部と、カバー本体の内部に形成され且つ開口部から流入した雨水を流す為の排水溝部とを備えたので、機能パネル用化粧カバーを機能パネルに取り付けた状態では、機能パネル間の隙間に流れ込んだ雨水は、開口部を介して排水溝部に導入され、この排水溝部を通って外部に排水される。
【００１２】
従って、機能パネル用化粧カバーを利用して排水通路を構成することができるので、屋根に雨水排水の為の専用部材を追加的に設置する必要が無く、機能パネルに雨水排水の為の専用構造を追加的に一体形成する必要も無くなるため、据付けコスト及び製作コストが低減する。機能パネル用化粧カバーの内側を排水溝部として排水に利用するので、簡単な構造でもって排水構造が実現可能であり、雨水が集中して屋根に流れ落ちるのを防止することができる。
【００１３】
請求項２の発明によれば、機能パネル用化粧カバーを傾斜屋根面に設置された機能パネルの側面に取り付けた状態において、カバー本体の軒側端部が、機能パネルの軒側に取り付けた状態の軒側化粧カバーの端部と連結され、軒側化粧カバーは、排水溝部と連結する軒側排水溝部を備え、機能パネル用化粧カバーの排水溝部を流れる雨水が軒側化粧カバーの軒側排水溝部を介して外部に排水可能であるので、機能パネル用化粧カバーに流入した雨水を、排水溝部の軒側端部から軒側化粧カバーの軒側排水溝部に流し、その後に外部の雨樋等に排水することで、雨水が集中して雨樋を超えるのを防止することができる。
【図面の簡単な説明】
【００１４】
【図１】本発明の実施例に係る側方カバー（機能パネル用化粧カバー）が取り付けられた複数の機能パネルと固定用架台の平面図である。
【図２】図１の要部拡大斜視図である。
【図３】図１の要部拡大平面図である。
【図４】機能パネルと横ラックの側面図である。
【図５】側方カバー（機能パネル用化粧カバー）の斜視断面図である。
【図６】側方カバー（機能パネル用化粧カバー）の断面図である。
【発明を実施するための形態】
【００１５】
以下、本発明を実施するための形態について実施例に基づいて説明する。
【実施例１】
【００１６】
先ず、各種建物の屋上等に設置された固定用架台２に複数の機能パネル１が設置された全体構造について簡単に説明する。
図１に示すように、複数の機能パネル１は、例えば、３行４列のマトリックス状に並べられ、傾斜した屋根面Ｓ上に固定用架台２を介して設置されている。機能パネル１の周囲には、複数の化粧カバー３が取り付けられている。尚、本実施例では、図１における上方を棟側として、下方を軒側として、左右を左右として、上下方向を縦方向として、左右方向を横方向として説明する。
【００１７】
次に、機能パネル１について説明する。
図１に示すように、複数の機能パネル１は、横方向に並べた複数の（例えば３行の）パネル行を構成し、パネル行の各々は、固定用架台２の２条の横ラック５により縦方向の両端を支持する状態に配置されている。但し、本実施例では、機能パネル１は太陽電池パネルであるが、これに限定する必要はなく、太陽熱温水パネルからなる機能パネル１の場合であっても良い。
【００１８】
図１，図４，図５に示すように、機能パネル１（太陽電池パネル）は、例えば、１．３ｍ×１．０ｍ程度のサイズに構成され、光を受光して発電可能な長方形状のパネル本体１ａ、このパネル本体１ａの外周部に設けられてパネル本体１ａを固定する為のフレーム枠１ｂ等を有している。尚、機能パネル１のサイズ・形状は、長方形状に限らず正方形状のものであっても良く、適宜変更可能である。
【００１９】
次に、固定用架台２に関して説明する。
図１，図４，図５に示すように、固定用架台２は、傾斜屋根面Ｓに複数の機能パネル１を取り付ける為のものであり、縦方向に延びる複数の縦ラック４と、横方向に延びる複数の横ラック５等から構成されている。複数の縦ラック４は、傾斜屋根面Ｓ上に横方向の適当な複数箇所に縦向きに設置されている。複数の横ラック５は、複数の縦ラック４の上に機能パネル１の縦幅とほぼ等しい間隔おきに設置されている。
【００２０】
縦ラック４と横ラック５は、夫々、アルミニウム又はアルミニウム合金を押し出し成形した条材であるが、その他の軽合金製のものでも良い。縦ラック４と横ラック５の表面には、酸化アルミニウムを主成分とする防蝕兼絶縁被膜が形成されている。縦ラック４は複数の固定金具（図示略）を介して屋根面Ｓに固定されている。縦ラック４と横ラック５の各交差部において、横ラック５は縦ラック４に対して１対の連結金具６により固定されている。
【００２１】
図４に示すように、横ラック５は、底板５ａ、この底板５ａに垂直に一体形成された１対のリブ５ｂ，５ｃ、この１対のリブ５ｂ，５ｃの上端に夫々一体形成された１対の横支持板５ｄ，５ｅ、この１対の横支持板５ｄ，５ｅに垂直に一体形成された１対の縦支持板５ｆ，５ｇ、この１対の縦支持板５ｆ，５ｇの上端に一体形成された頂部支持板５ｈ、この頂部支持板５ｈの下方であって１対の縦支持板５ｆ，５ｇに亙って一体形成された中段板５ｉ等を有する。
【００２２】
横ラック５の軒側の横支持板５ｄの上に軒側の機能パネル１のフレーム枠１ｂ又は軒カバー１２が載置支持される。棟側の縦支持板５ｇの下部には、係合溝５ｊが形成され、棟側の機能パネル１のフレーム枠１ｂの係合部が係合溝５ｊに係合している。棟側の横支持板５ｅの上に棟側の機能パネル１のフレーム枠１ｂ又は棟カバー１３が載置支持される。頂部支持板５ｈの棟側部分には、機能パネル１のフレーム枠１ｂが当接するＬ形受部５ｋが一体形成されている。
【００２３】
頂部支持板５ｈには、上下方向に挿通した挿通溝５ｍが横方向の全長に亙って形成され、中段板５ｉには、浅い溝部５ｎが横方向の全長に亙って形成されている。中段板５ｉには、溝部５ｎを挟んで対向状に１対の規制部５ｏが横方向に全長に亙って形成されている。溝部５ｎの上側に１対の規制部５ｏによって規制溝５ｐが形成されている。挿通溝５ｍと規制溝５ｐと溝部５ｎ等を含むレール溝５ｑが横方向の全長に亙って形成されている。尚、横ラック５に機能パネル１を固定する為のパネル固定用金具についての詳細な説明は省略する。
【００２４】
次に、化粧カバー３について説明する。
図１〜図６に示すように、化粧カバー３は、機能パネル１の周囲に配置されるものであり、横ラック５の略全長に亙って設置される間カバー１１、最下段の横ラック５の略全長に亙って設置される軒カバー１２、最上段の横ラック５の略全長に亙って設置される棟カバー１３、各パネル行の両端部において傾斜方向の全長に亙って設置される側方カバー１５を有している。化粧カバー３は、アルミニウム又はアルミニウム合金を押し出し成形した条材であるが、その他の軽合金製のものでも良い。
【００２５】
図４に示すように、間カバー１１は、横方向に延びる帯状の平板部１１ａと、この平板部１１ａの縦方向両端部から下方に延びる１対の垂直板部１１ｂとを備え、下方開口状の断面コ字状に形成されている。１対の垂直板部１１ｂの内側は僅かに内方に突出しており、この１対の垂直板部１１ｂがパネル固定用金具（図示略）に係合されることで、間カバー１１は横ラック５に固定される。
【００２６】
軒カバー１２（軒側化粧カバーに相当する）と棟カバー１３は、基本的に同じ構造であり、その大部分が断面三角形状に形成されている。軒カバー１２は、その底面が最下段の横ラック５の横支持板５ｄの上面に載置されて横ラック５に固定されている。棟カバー１３は、その底面が最上段の横ラック５の横支持板５ｅの上面に載置されて横ラック５に固定されている。
【００２７】
間カバー１１、軒カバー１２、棟カバー１３は、機能パネル１の横幅と略同様の長さに夫々構成されている。即ち、間カバー１１、軒カバー１２、棟カバー１３は、パネル行の機能パネル１の設置数に応じた数（本実施例では４つ）が各横ラック５に夫々装着されている。尚、間カバー１１、軒カバー１２、棟カバー１３の長さは、特に機能パネル１の横幅と略同様の長さに限定する必要はなく、機能パネル１の横幅の倍の長さであっても良く、適宜変更可能である。
【００２８】
次に、本発明に関連する側方カバー１５について説明する。
図１〜図６に示すように、側方カバー１５（機能パネル用化粧カバーに相当する）は、その大部分が断面三角形状に形成されたカバー本体２１、カバー本体２１の上端部からパネル側に延びる天井板部２２、カバー本体２１の下端部から下方に延びる垂直板部２３等を備えている。
【００２９】
さらに、側方カバー１５は、カバー本体２１の縦壁部２１ａ（機能パネル側壁部）に形成された開口部２４と、カバー本体２１の内部に形成され且つ開口部２４から流入した雨水を流す為の排水溝部２５とを備えている。開口部２４は、縦壁部２１ａを横方向に貫通し且つ縦壁部２１ａの縦方向（傾斜方向）の全長に亙って形成されている。排水溝部２５は、底壁部２１ｂの上面において上方開の扁平なコ字状に構成され且つ縦方向（傾斜方向）の全長に亙って形成されている。
【００３０】
側方カバー１５は、カバー本体２１の縦壁部２１ａが機能パネル１の側面に当接され、天井板部２２が機能パネル１の上面や間カバー１１の上面に載置された状態で機能パネル１に固定される（図２，図５参照）。側方カバー１５の縦壁部２１ａが横ラック５の端部に当接した状態では、横ラック５のレール溝５ｑ、機能パネル１と横ラック５間の隙間、横ラック５と間カバー１１間の隙間等が開口部２４を介して排水溝部２５に連結される。
【００３１】
カバー本体２１の傾斜壁部２１ｃの裏面側において、１対のリブ２６が縦方向の全長に亙って一体的に形成され、１対のリブ２６を挟んで２つの断面視Ｃ字形のビス螺合部２７が縦方向の全長に亙って夫々形成されている。
【００３２】
側方カバー１５は、機能パネル１の縦幅と略同様の長さに構成されている。即ち、側方カバー１５は、縦方向の機能パネル１の設置数に応じた数（本実施例では３つ）が機能パネル３に夫々装着されている。尚、側方カバー１５の長さは、特に機能パネル１の縦幅と略同様の長さに限定する必要はなく、複数枚分の機能パネル１の縦幅の長さであっても良く、適宜変更可能である。
【００３３】
図１〜図３に示すように、側方カバー１５の縦方向の軒側端部は、パネル側から外方に向かって傾斜角度４５度の下り傾斜状に構成され、側方カバー１５の縦方向の棟側端部も同様に、パネル側から外方に向かって傾斜角度４５度の上り傾斜状に構成されている。最上段及び最下段の間カバー１１と軒カバー１２と棟カバー１３の横方向の両端部も同様に傾斜状に夫々構成されている。
【００３４】
尚、軒カバー１２は、排水溝部２５と連結可能な軒側排水溝部３１を備えている。即ち、軒カバー１２の本体部の内部には、側方カバー１５の排水溝部２５と同様の軒側排水溝部３１が横方向の全長に亙って設けられている。この軒側排水溝部３１には、複数の長円形状の排水孔３２が等間隔に形成されている。軒側排水溝部３１を流れる雨水は、複数の排水孔３２を介して外部の雨樋に排水される。尚、排水孔３２の形状は、長円形状に限らず、真円形状であっても良く、適宜変更可能である。
【００３５】
最下段の間カバー１１と軒カバー１２、最上段の間カバー１１と棟カバー１３、側方カバー１５を機能パネル１に取り付けた状態では、化粧カバー３は額縁的な形状に構成され、側方カバー１５の排水溝部２５の軒側端部が、軒カバー１２の軒側排水溝部３１の横方向の端部と連結される。即ち、側方カバー１５を機能パネル１の側面に取り付けた状態において、カバー本体２１の軒側端部が、機能パネル１の軒側に取り付けた状態の軒カバー１２の端部と連結され、側方カバー１５の排水溝部２５を流れる雨水が軒カバー１２の軒側排水溝部３１を介して外部に排水可能である。
【００３６】
次に、本発明の側方カバー１５の作用及び効果について説明する。
降雨時には、機能パネル１の表面を傾斜方向の下方に流れる雨水は、機能パネル１と間カバー１１の間から横ラック５に流れ込み、横ラック５に流れ込んだ雨水は、横ラック５のレール溝５ｑ、横ラック５と機能パネル１間の隙間、横ラック５と間カバー１１間の隙間等に沿って横方向の両端部に向かって流れ、側方カバー１５の開口部２４を介して排水溝部２５に流入する。
【００３７】
次に、側方カバー１５の排水溝部２５に流入した雨水は、傾斜方向の下方に向かって流れ、側方カバー１５の軒側端部において軒カバー１２の軒側排水溝部３１に流入する。そして、この軒側排水溝部３１に流入した雨水は、軒側排水溝部３１を流れながら複数の排水孔３２を介して外部の雨樋に排水される（図２，図３の雨水の流れを示す矢印参照）。
【００３８】
従って、側方カバー１５を利用して排水通路を構成することができるので、屋根面Ｓに雨水排水の為の専用部材を追加的に設置する必要が無く、機能パネル１に雨水排水の為の専用構造を追加的に一体形成する必要が無くなるため、据付けコスト及び製作コストが低減する。側方カバー１５の内側を排水溝部２５として排水に利用するので、簡単な構造でもって排水構造が実現可能であり、雨水が集中して屋根に流れ落ちるのを防止することができる。
【００３９】
また、側方カバー１５を傾斜屋根面Ｓに設置された機能パネル１の側面に取り付けた状態において、カバー本体２１の軒側端部が、機能パネル１の軒側に取り付けた状態の軒カバー１２の端部と連結され、軒カバー１２は、排水溝部２５と連結する軒側排水溝部３１を備え、側方カバー１５の排水溝部２５を流れる雨水が軒カバー１２の軒側排水溝部３１を介して外部に排水可能であるので、側方カバー１５に流入した雨水を、排水溝部２５の軒側端部から軒カバー１２の軒側排水溝部３１に流し、その後に外部の雨樋等に排水することで、雨水が集中して雨樋を超えるのを防止することができる。
【００４０】
次に、前記実施例を部分的に変更した形態について説明する。
［１］前記実施例の側方カバー１５の形状は、ほんの１例を示したに過ぎず、カバー本体２１の縦壁部２１ａに開口部２４が形成され、カバー本体２１の内部に排水溝部２５が形成されていれば、その他の形状に構成されても良く、適宜変更可能である。横ラック５、間カバー１１、軒カバー１２、棟カバー１３の形状も同様に適宜変更可能である。軒カバー１２と棟カバー１３を側方カバー１５と同様の形状に構成しても良い。
【００４１】
［２］前記実施例の側方カバー１５の軒側端部は、傾斜状に構成されて最下段の間カバー１１と軒カバー１２の傾斜状の端部に連結され、側方カバー１５の棟側端部も同様に、傾斜状に構成されて最上段の間カバー１１と棟カバー１３の傾斜状の端部に連結されているが、特にこの連結構造に限定する必要はなく、適宜変更可能である。また、側方カバー１５の軒側端部を、最下段の間カバー１１と軒カバー１２の端部に連結せずに雨樋まで延長して、排水溝部２５を流れる雨水を直接外部の雨樋に排水する構造であっても良い。
【００４２】
［３］その他、当業者であれば、本発明の趣旨を逸脱することなく、前記実施例に種々の変更を付加した形態で実施可能であり、本発明はそのような変更形態を包含するものである。
【符号の説明】
【００４３】
Ｓ      屋根面
１      機能パネル
１２    軒カバー（軒側化粧カバー）
１５    側方カバー（機能パネル用化粧カバー）
２１    カバー本体
２４    開口部
２５    排水溝部
３１    軒側排水溝部
【図１】
2015183446.tif 000003
【図２】
2015183446.tif 000004
【図３】
2015183446.tif 000005
【図４】
2015183446.tif 000006
【図５】
2015183446.tif 000007
【図６】
2015183446.tif 000008